(57)【要約】　　【課題】　レーザ光の波長設計波長からのずれによる球面収差を良好に補正し、プラスチック製の対物レンズを使用した場合でも温度変化の影響を受けにくい、保護層の厚さが異なる光ディスクに対する情報の記録または再生が可能な光ディスク用光学系を提供すること。　　【解決手段】　第一の光ディスク使用時に用いる第一の光束と、第二の光ディスク使用時に用いる第二の光束とを照射する光源部と、波長に依存して球面収差が変化する特性を有する回折構造を利用することにより、各光ディスクの互換性を有する対物レンズと、光源部から照射された各光束を略平行光束に変換して対物レンズに入射させるコリメートレンズと、を有し、第一の光ディスクに対する情報の記録または再生時に、光源の個体差による、該第一光束の波長の設計波長に対するずれに起因して発生する球面収差の変化を、コリメートレンズから射出される光束の平行度の調整によって補正する構成にした。【選択図】　　　図１
2004103216.tif 000002
【特許請求の範囲】
【請求項１】
　保護層が薄く記録密度が高い第一の光ディスクに対する記録または再生時に用いる第一の光束と、第一の光ディスクより保護層が厚く記録密度が低い第二の光ディスクに対する記録または再生時に用いる第二の光束とを照射する光源部と、
　波長に依存して球面収差が変化する特性を有する回折構造を利用することにより、第一の光ディスクと第二の光ディスクの互換性を有する対物レンズと、
　前記光源部から照射された各光束を略平行光束に変換して前記対物レンズに入射させるコリメートレンズと、を有し、
　第一の光ディスクに対する記録または再生時に、前記光源の個体差による、該第一光束の波長の設計波長に対するずれに起因して発生する球面収差の変化を、前記コリメートレンズから射出される光束の平行度の調整によって補正することを特徴とする光ディスク用光学系。
【請求項２】
　請求項１に記載の光学系において、
　前記回折構造は、前記光源部の射出光の波長の変化に依存して変化するような波長依存性を持つ球面収差を生成し、
　温度変化に伴う前記対物レンズの形状および、あるいは屈折率の変化に起因する球面収差の変化を、該温度変化に伴う前記光源部の射出光の波長の変化に応じて前記回折構造によって生成される球面収差の変化により補正するよう構成されたことを特徴とする光ディスク用光学系。
【請求項３】
　請求項１または請求項２に記載の光ディスク用光学系において、
　前記対物レンズは、前記第一の光ディスクに対する記録または再生時に前記第一の光束の波長の設計波長に対するずれによって３次の球面収差が最も大きく変化するように構成されることを特徴とする光ディスク用光学系。
【請求項４】
　請求項３に記載の光ディスク用光学系において、
　前記対物レンズは、前記第一の光ディスクに対する記録または再生時に前記第一の光束の波長の設計波長に対するずれによって変化する５次以上の各球面収差の変化量がそれぞれ前記３次の球面収差の変化量の１／５以下であるように構成されることを特徴とする光ディスク用光学系。
【請求項５】
　請求項１から請求項４のいずれかに記載の光ディスク用光学系において、
　前記対物レンズは、前記第一の光ディスクに対する記録または再生時に前記第一の光束の波長の設計波長に対するずれによって変化する５次以上の各球面収差が、それぞれ０．０００５λｒｍｓ／ｎｍ以下であることを特徴とする光ディスク用光学系。
【請求項６】
　請求項１から請求項５のいずれかに記載の光ディスク用光学系は、
　前記コリメートレンズから射出される光束の平行度を前記第二の光束の波長も考慮して設定することを特徴とする光ディスク用光学系。
【請求項７】
　請求項１から請求項６のいずれかに記載の光ディスク用光学系において、
　前記光源部は、前記第一の光束を照射する第一光源と前記第二の光束を照射する第二光源とが一体に形成されていることを特徴とする光ディスク用光学系。
【請求項８】
　請求項７に記載の光ディスク用光学系において、
　前記対物レンズから射出された前記第一の光束が前記第一の光ディスクの記録面位置に最良の状態で収束するよう、前記平行度を設定することを特徴とする光ディスク用光学系。
【請求項９】
　請求項７に記載の光ディスク用光学系において、
　光路上、前記対物レンズから射出された前記第一の光束が前記第一の光ディスクの記録面位置に最良の状態で収束する位置と、前記対物レンズから射出された前記第二の光束が前記第二の光ディスクの記録面位置に最良の状態で収束する位置との間における任意の位置に前記コリメートレンズを配置することにより前記平行度を設定することを特徴とする光ディスク用光学系。
【請求項１０】
　請求項１から請求項６のいずれかに記載の光ディスク用光学系において、
　前記光源部は、前記第一の光束を照射する第一光源と前記第二の光束を照射する第二光源とが別個独立して配置されていることを特徴とする光ディスク用光学系。
【請求項１１】
　請求項１０に記載の光ディスク用光学系において、
　前記対物レンズから射出された前記第一の光束が前記第一の光ディスクの記録面位置に最良の状態で収束する位置であって、かつ前記対物レンズから射出された前記第二の光束が前記第二の光ディスクの記録面位置に最良の状態で収束する位置に前記コリメートレンズが配置されるように、前記第一の光源と前記コリメートレンズとの間隔および第二光源と前記コリメートレンズとの間隔を調整することにより前記平行度を設定することを特徴とする光ディスク用光学系。
【請求項１２】
　波長に依存して球面収差が変化する特性を有する回折構造を利用することにより、保護層が薄く記録密度が高い第一の光ディスクと第一の光ディスクより保護層が厚く記録密度が低い第二の光ディスクとの互換性を有する対物レンズを用いた光ディスク用光学系において、
　前記対物レンズは、前記第一の光ディスクに対する記録または再生時に光源から照射される前記第一の光ディスク用の光束の発振波長の変化によって３次の球面収差が最も大きく変化するように構成されることを特徴とする光ディスク用光学系。
【請求項１３】
　請求項１２に記載の光ディスク用光学系において、
　前記対物レンズは、第一の光ディスクに対する記録または再生時に前記第一の光ディスク用の光束の波長の変化によって変化する５次以上の各球面収差の変化量がそれぞれ前記３次の球面収差の変化量の１／５以下であることを特徴とする光ディスク用光学系。
【請求項１４】
　請求項１２または請求項１３に記載の光ディスク用光学系において、
　前記対物レンズは、第一の光ディスクに対する記録または再生時に前記第一の光ディスク用の光束の波長の変化によって変化する５次以上の各球面収差が、それぞれ０．０００５λｒｍｓ／ｎｍ以下であることを特徴とする光ディスク用光学系。
【請求項１５】
　請求項１から請求項１４のいずれかに記載の光ディスク用光学系において、
　前記対物レンズは、前記第一の光ディスクに対する開口数が０．６３以上であることを特徴とする光ディスク用光学系。
【請求項１６】
　請求項１から請求項１５のいずれかに記載の光ディスク用光学系を備え、前記第一の光ディスクあるいは前記第二の光ディスクに対する記録または再生を行うことを特徴とする光ディスクヘッド装置。
【請求項１７】
　波長に依存して球面収差が変化する特性を有する回折構造を利用することにより、保護層が薄く記録密度が高い第一の光ディスクと第一の光ディスクより保護層が厚く記録密度が低い第二の光ディスクとのそれぞれの記録面位置に、異なる波長の光束を収束させる光ディスク用対物レンズであって、
　前記第一の光ディスクに対する記録または再生時に、光源から照射される前記第一の光ディスク用の光束の発振波長の変化によって３次の球面収差が最も大きく変化することを特徴とする光ディスク用対物レンズ。
【請求項１８】
　請求項１７に記載の光ディスク用対物レンズにおいて、
　前記光束の発振波長の変化は、前記光源の個体差による波長のずれも含むことを特徴とする光ディスク用対物レンズ。
【請求項１９】
　請求項１７または請求項１８に記載の光ディスク用対物レンズは、さらに、
　前記第一の光ディスクに対する記録または再生時に、前記第一の光ディスク用の光束の波長の変化によって変化する５次以上の各球面収差の変化量がそれぞれ前記３次の球面収差の変化量の１／５以下であることを特徴とする光ディスク用対物レンズ。
【請求項２０】
　請求項１７から請求項１９のいずれかに記載の光ディスク用対物レンズは、さらに、
　前記第一の光ディスクに対する記録または再生時に、前記ＤＶＤ用の光束の波長の変化によって変化する５次以上の各球面収差がそれぞれ０．０００５λｒｍｓ／ｎｍ以下であることを特徴とする光ディスク用対物レンズ。
【請求項２１】
　波長に依存して球面収差が変化する特性を有する回折構造を利用することにより、保護層が薄く記録密度が高い第一の光ディスクと第一の光ディスクより保護層が厚く記録密度が低い第二の光ディスクとのそれぞれの記録面位置に光束を収束させる光ディスク用対物レンズであって、
　前記第一の光ディスクに対する記録または再生時に、光源から照射される前記第一の光ディスク用の光束の発振波長の変化によって３次の球面収差が最も大きく変化し、かつ５次以上の各球面収差の変化量がそれぞれ前記３次の球面収差の変化量の１／５以下であり、かつ該５次以上の各球面収差はそれぞれ０．０００５λｒｍｓ／ｎｍ以下であることを特徴とする光ディスク用対物レンズ。
【請求項２２】
　保護層が薄く記録密度が高い第一の光ディスクに対する記録または再生時に用いる第一の光束と、第一の光ディスクより保護層が厚く記録密度が低い第二の光ディスクに対する記録または再生時に用いる第二の光束とを照射する光源部と、
　前記光源から照射された各光束を略平行光束に変換するコリメートレンズと、　波長に依存して球面収差が変化する特性を有する回折構造を利用することにより、前記第一の光ディスクと前記第二の光ディスクとの互換性を有する対物レンズと、を有し、
　前記光源の個体差による波長変化に起因する球面収差の変化は、前記対物レンズの特性と、前記コリメートレンズから射出される光束の平行度の調整とによって補正し、
　温度変化に起因する球面収差は、前記回折構造の特性によって補正することを特徴とする光ディスク用光学系。
【請求項２３】
　保護層が薄く記録密度が高い第一の光ディスクに対する記録または再生時に用いる第一の光束と、第一の光ディスクより保護層が厚く記録密度が低い第二の光ディスクに対する記録または再生時に用いる第二の光束とを照射する光源部と、該光源部から照射された各光束を略行光束に変換するコリメートレンズと、を備えた光ディスク用光学系に用いられる対物レンズであって、
　前記対物レンズは、前記第一の光ディスクに対する記録または再生時に、該光源の個体差による、該第一光束の波長の設計波長に対するずれに起因する球面収差の変化を、前記コリメートレンズの位置を調整することにより調整される入射光束の平行度によって補正するよう構成されると共に、前記第一の光ディスクと前記第二の光ディスクとの保護層の厚みの差異に起因する球面収差の変化を、該第１の光束と第２の光束との切替により変化する球面収差により相殺するような、波長依存性を有する球面収差を生成する回折レンズ構造を備え、
　該回折レンズ構造は、さらに温度の変化に伴う対物レンズの形状および、あるいは屈折率の変化に起因する球面収差の変化を、温度変化に伴う前記光源部の射出光の波長の変化に起因する球面収差の変化により補正するような波長依存性を有することを特徴とする光ディスク用対物レンズ。
【発明の詳細な説明】
【技術分野】
【０００１】
　この発明は、保護層の厚さの異なる複数種類の光ディスクに対するデータの記録または再生を行う光ディスク装置に用いられる光学系および該光学系を用いた光ヘッドに関する。
【背景技術】
【０００２】
　光ディスクには、保護層の厚さが異なる複数の規格が存在する。例えば、ＣＤ（コンパクトディスク）、ＣＤ−Ｒ（ＣＤ−レコーダブル）の保護層の厚さは１．２０ｍｍであるのに対し、ＤＶＤ（デジタルバーサタイルディスク）の保護層の厚さは０．６０ｍｍである。そこで、規格が異なる光ディスクの切り替え時には、保護層の厚さの違いによって生じる球面収差の変化を抑える必要がある。
【０００３】
　また、ＤＶＤの記録密度はＣＤより高いため、ＤＶＤの記録／再生にはＣＤ専用の光学系よりビームスポットを絞る必要がある。スポット径は波長が短いほど小さくなるため、ＤＶＤを利用する光学系では、ＣＤ専用の光学系で用いられていた７８０〜８３０ｎｍより短い６３５〜６６５ｎｍの発振波長のレーザ光源を用いる。さらに、ＣＤ−Ｒを利用する場合には、記録面の反射特性から７８０ｎｍ程度の発振波長のレーザ光源を用いる。そのため近年、光情報記録再生装置には、波長の異なるレーザ光を発振可能な光源部を有する光ディスク用光学系が使用されている。
【０００４】
　保護層の厚さが異なる光ディスクの規格に対して、それぞれ良好な状態で各光ディスクの記録面位置にレーザ光を収束させる手段の一つとして、近年、対物レンズの一面に輪帯状の微細な段差を有する回折構造を設けた対物レンズを光ディスク用光学系に搭載することが考えられている。
【０００５】
　回折構造は、該回折構造によって発生する球面収差が、入射する光束の波長に依存して変化するように構成される。球面収差の、入射光束の波長変化に依存して変化する特性を波長依存性という。詳しくは該回折構造は、保護層の厚さが異なる規格の光ディスクに対して異なる波長の光束を使用しても、各光束が、対応する各光ディスクにおいて、保護層を介し記録面の位置でそれぞれ良好な波面を形成するように最適化される。このような回折構造を備える対物レンズを使用することにより、保護層の厚さの違いによる球面収差の変化を、レーザ光の波長が切り替わることにより変化する該回折構造における球面収差で打ち消して各光ディスクの記録面位置に良好なスポットを形成する効果が得られる。
【０００６】
　さらに、近年、低コスト化等を図る観点から上記対物レンズをプラスチック製することが多い。ここでプラスチック製対物レンズは、温度変化に伴って形状および屈折率が変化するため、球面収差も変化してしまう性質がある。球面収差の、温度変化に依存して変化する特性を温度依存性という。そのため、プラスチック製対物レンズを使用する場合には、このような温度変化による球面収差の変化を抑えるようなレンズ設計を行う必要がある。また、レーザー光源の個体差により発振波長がばらつくことがあり、これにより球面収差が変化してしまうという問題もある。球面収差が変化することによる影響は光ディスクに対する情報の記録または再生時に要求される開口数（ＮＡ）が大きくなるほど大きい。従って、従来の回折構造を有するプラスチック製対物レンズの回折構造は、ＣＤに対する記録または再生に必要十分な低ＮＡ領域ではディスクの保護層の厚さの違いによる球面収差を打ち消すことが可能な球面収差を発生するように設計され、ＤＶＤに対する記録または再生にのみ必要とされる高ＮＡ領域では球面収差の波長依存性と温度依存性との両方のバランスをとるような設計がされていた。しかし、球面収差の温度依存性を小さくするためにはある程度の波長依存性が必要となるため、波長依存性と温度依存性の両方を同時に最適化させることができず、光源部の個体差に対する許容範囲と、温度変化に対する許容範囲とを同時に大きくとることが困難であった。
【発明の開示】
【発明が解決しようとする課題】
【０００７】
　この発明は、上述した従来技術の問題点に鑑みなされたもので、光源部から照射されるレーザ光の波長が設計波長からずれても球面収差を良好に補正して、ＤＶＤとＣＤ、ＣＤ−Ｒのような保護層の厚さと記録密度が異なる光ディスクに対してデータの記録または再生が可能な光ディスク用光学系を提供すること、さらには、プラスチック製の対物レンズを使用した場合でも温度変化の影響を受けにくい設計が可能な光ディスク用光学系を提供することを目的とする。
【課題を解決するための手段】
【０００８】
　このため、請求項１に記載の光ディスク用光学系は、保護層が薄く記録密度が高い第一の光ディスクに対する記録または再生時に用いる第一の光束と、第一の光ディスクより保護層が厚く記録密度が低い第二の光ディスクに対する記録または再生時に用いる第二の光束とを照射する光源部と、波長に依存して球面収差が変化する特性を有する回折構造を利用することにより、第一の光ディスクと第二の光ディスクとの互換性を有する対物レンズと、光源部から照射された各光束を略平行光束に変換して対物レンズに入射させるコリメートレンズと、を有し、第一の光ディスクに対する記録または再生時に、光源の個体差による、該第一光束の波長の設計波長に対するずれに起因して発生する球面収差の変化を、コリメートレンズから射出される光束の平行度の調整によって補正することを特徴とする。
【０００９】
　すなわち請求項１に記載の光ディスク用光学系は、球面収差の波長依存性が大きい対物レンズを使用する。そして、光源の発振波長のばらつきに応じて該対物レンズへ入射する光束の平行度を調整することにより波長が変化することによって生じる球面収差を低減する。このように構成することにより、光ディスク用光学系は、第一の光ディスクに対する記録または再生時に、光源部から照射されるレーザ光の波長が設計波長からずれてもその影響を受けることなく球面収差を良好に補正できる。なお、上記請求項１の構成において、例えば、第一の光ディスクはＤＶＤ、第二の光ディスクはＣＤを想定する。他にも、ＤＶＤの代わりにＤＶＤ−Ｒ、ＣＤの代わりにＣＤ−ＲやＣＤ−ＲＷを用いることも可能である。
【００１０】
　また、請求項２に記載の光ディスク用光学系は、回折構造は、光源部の射出光の波長の変化に依存して変化するような波長依存性を持つ球面収差を生成し、温度変化に伴う対物レンズの形状や屈折率の変化に起因する球面収差の変化を、該温度変化に伴う前記光源部の射出光の波長の変化に応じて回折構造によって生成される球面収差の変化により補正するよう構成されたことを特徴とする。これにより、プラスチック製の対物レンズを使用した場合であっても、温度変化の影響を受けにくい設計が可能になる。
【００１１】
　より詳しくは、上記調整を可能にし、保護層の厚さが異なる光ディスクの記録または再生が良好な状態で行われるためには、上記回折構造を有する対物レンズを以下のように構成することが望ましい。まず、対物レンズは、第一の光ディスクに対する記録または再生時に第一の光束の波長の変化によって３次の球面収差が最も大きく変化するように構成される（請求項３）。また、第一の光束の波長の変化によって変化する５次以上の各球面収差の変化量がそれぞれ３次の球面収差の変化量の１／５以下であるように構成されることが望ましい（請求項４）。また、第一の光束の波長の変化によって変化する５次以上の各球面収差が、それぞれ０．０００５λｒｍｓ／ｎｍ以下であることが望ましい（請求項５）。
【００１２】
　請求項６に記載の発明によれば、第二の光束の波長にも応じてコリメートレンズから射出される光束の平行度を設定することが望ましい。
【００１３】
　上記光源は、例えば第一の光束を照射する第一光源と第二の光束を照射する第二光源とが一体に形成されているものを使用することができる（請求項７）。この場合、平行度の調整は、対物レンズから射出された第一の光束が第一の光ディスクの記録面位置に最良の状態で収束するように、光源に対するコリメートレンズの位置を調整することにより行われる（請求項８）。
【００１４】
　また第二の光束の波長にも応じてコリメートレンズから射出される光束の平行度を設定し、光路上、対物レンズから射出された第一の光束が第一の光ディスクの記録面位置に最良の状態で収束する位置と、対物レンズから射出された第二の光束が第二の光ディスクの記録面位置に最良の状態で収束する位置との間にコリメートレンズを配置することにより平行度を変えることも可能である（請求項９）。この調整は、上記の第一の光束に対応した位置調整を行った結果、第二の光束による球面収差が大きく発生してしまったとき等に有効な手段である。
【発明の効果】
【００１５】
　以上説明したように、本発明によれば、球面収差の波長依存性を大きく持たせるとともに、発生する球面収差を３次の成分が主となるように設計した対物レンズを使用し、該３次の球面収差はレーザ光の平行度を変えることにより低減することにより、光源部から照射されるレーザ光の波長が変化しても球面収差を良好に補正して、ＤＶＤとＣＤ、ＣＤ−Ｒのような保護層の厚さが異なる光ディスクの記録または再生が可能な光ディスク用光学系を提供することが可能となる。さらに、波長依存性を大きく設計したことにより、該対物レンズは温度変化による球面収差の変化の補正に重点をおいた設計が可能となるため、プラスチック製の対物レンズを使用した場合でも温度変化の影響を受けにくい設計が可能な光ディスク用光学系が提供される。
【発明を実施するための最良の形態】
【００１６】
　以下、この発明に係る光ディスク用光学系の実施形態を説明する。図１は、実施形態に係る光ディスク用光学系１００を示す説明図である。光ディスク用光学系１００は、ＤＶＤ、ＣＤ互換の光情報記録再生装置に搭載される。光ディスク用光学系１００は、光源１０と、コリメートレンズ２０と、対物レンズ３０とを有する。
【００１７】
　光ディスク４０Ａ（４０Ｂ）は、図示しないターンテーブル上に載置され回転駆動される。なお本明細書では、保護層が薄く記録密度が高い光ディスク（例えばＤＶＤ）を第１の光ディスク４０Ａと記し、保護層が厚く記録密度が低い光ディスク（例えばＣＤやＣＤ−Ｒ等）を第２の光ディスク４０Ｂと記す。
【００１８】
　光源１０は、シリコン基板１１上に種類の異なる２つの活性層を形成して構成され、波長の異なる二種類のレーザ光をそれぞれ発光する二つの発光点を備えている。両発光点の間隔は約１００μｍである。
【００１９】
　第１の光ディスク４０Ａに対して記録または再生を行う際には、小さいビームスポットを作るために波長の短いレーザ光（以下、第一のレーザ光という）が光源１０から照射される。また、第２の光ディスク４０Ｂに対して記録または再生を行う際には、第一のレーザ光よりも波長の長いレーザ光（以下、第二のレーザ光という）が光源１０から照射される。
【００２０】
　光ディスクの種類に対応して光源１０から照射される各レーザ光は発散光であるが、コリメートレンズ２０を介することにより、平行光に近い状態に変換される。
【００２１】
　コリメートレンズ２０から射出されたレーザ光は、対物レンズ３０により光ディスク４０の記録面に収束される。対物レンズ３０は、両面とも非球面である両凸のプラスチック製単レンズである。
【００２２】
　上述した通り、第１の光ディスク４０Ａと第２の光ディスク４０Ｂとでは、保護層の厚さが異なる。このため、使用されるディスクによって球面収差が変化する。ここで、球面収差は、保護層が厚くなるほど補正過剰（オーバー）方向に変化する傾向にある。
【００２３】
　そこで、本実施形態においては、対物レンズ３０のレンズ面に光軸を中心とした複数の輪帯からなり、各輪帯の境界にフレネルレンズのように光軸方向の段差を有する回折構造３０ａを形成している。これにより対物レンズ３０によって発生する球面収差に波長依存性を持たせ、保護層の厚さの違いに起因する球面収差の変化を、情報の記録または再生のために使用するレーザー光の波長の違いにより生じる球面収差の変化で補正する。
【００２４】
　ここで、回折構造３０ａについて、対物レンズ射出後に第二の光ディスク４０Ｂに対するデータの記録または再生に必要なＮＡに相当する光束が透過する領域を中央部といい、該中央部よりも外側の領域を周辺部という。回折構造３０ａの中央部は、入射する光束の波長が長くなるに従い球面収差が補正不足（アンダー）方向に変化するような特性を有する。これにより、対物レンズの、保護層の異なる複数種類の光ディスクに対する情報の記録または再生に関する互換性を確保している。回折構造３０ａの周辺部は、第一のレーザ光を第一の光ディスクの記録面上に良好に収束させ、かつ、第二のレーザ光を第二の光ディスクの記録面上で大きく拡散させるような特性を有する。従って、第一のレーザ光は、回折構造３０ａの中央部および周辺部を含む広い範囲を透過して記録面上に集光する。つまり、対物レンズ３０を透過する第一のレーザ光はＮＡが大きくなり、第一の光ディスクに対するデータの記録または再生に適した小径のスポットを形成する。一方、対物レンズ３０を透過する第二のレーザ光のうち、該中央部を透過した光束は記録面上に集光するが、該周辺部を透過した光束は記録面上で大きく拡散しておりスポット形成に寄与しないので、第一のレーザ光を入射した場合よりも実効的なＮＡが小さくなる。従って、第二の光ディスク４０Ｂに対応した比較的大径のスポットを形成する。
【００２５】
　光ディスク用光学系１００は、上述の回折型互換対物レンズ３０を用いつつ、球面収差の温度依存性と波長依存性を小さく抑えるように構成されている。具体的には、光ディスク用光学系１００において、対物レンズ３０の回折構造３０ａが温度変化により生じる球面収差の変化を打ち消すような球面収差を発生させる。これにより温度依存性を小さく抑える。また、光源の個体差による波長のばらつきに起因する球面収差の変化はコリメートレンズ２０から射出される光束の平行度を調整する。これにより波長依存性を小さく抑える。
【００２６】
　球面収差の変化が光ディスク記録面上のスポットに与える影響は、対物レンズ３０を透過するレーザ光のＮＡが大きくなるほど大きくなる。よって、本実施形態の光ディスク用光学系１００では特に第一の光ディスクに第一のレーザ光を収束させる場合の球面収差の温度依存性及び波長依存性を小さくするように構成されている。
【００２７】
　対物レンズ３０から射出されるレーザ光の球面収差は、温度上昇によって補正過剰（オーバー）方向に変化する傾向がある。一方、光源１０から照射されるレーザ光は、温度変化により、その波長が約０．２ｎｍ／℃で変化する。例えば、温度が４０℃上昇した場合には約８ｎｍ波長が長波長側にシフトする。そこで、回折構造３０ａの周辺部を、第一のレーザ光を第一の光ディスク記録面上に良好に収束させるとともに、該レーザ光の波長が長波長側へシフトした場合に発生する球面収差が補正不足方向に変化する特性を持つように設計する。これにより、第一の光ディスクを使用する際の温度変化による対物レンズ３０の球面収差の変化を、温度変化に起因する光源の波長変化に依存した回折構造３０ａの球面収差によって打ち消すことができる。
【００２８】
　さらに、回折構造３０ａの周辺部の、温度特性を良好にするために設定される球面収差の波長依存性は、第一の光ディスクに対する記録または再生時に、回折構造３０ａ全体を透過したレーザ光により光ディスク記録面上に形成されるビームスポットにおいて、入射光束の波長の変化による球面収差の変化量のうち３次成分が最も大きくなるように設計される。具体的には、球面収差の５次以上の高次の成分がそれぞれ３次の成分の１／５以下になるか、該高次の成分がそれぞれ０．０００５λｒｍｓ／ｎｍ以下になるかの、少なくとも一方の条件を満たすように回折構造３０ａを設計する。
【００２９】
　対物レンズに入射する光束の平行度を調整することにより発生する球面収差はほとんどが３次の成分である。従って、対物レンズ３０に上記のような波長依存性を有する回折構造３０ａを形成すると、波長変化による球面収差を入射光束の平行度の調整により良好に補正することができる。
【００３０】
　光ディスク用光学系１００は、第一、第二のレーザ光の波長変化に対する回折構造３０ａの、３次を主成分とする球面収差の変化を、コリメートレンズ２０から射出されるレーザ光の平行度を変えることにより補正する。本実施形態では、コリメートレンズ２０の位置を調整して光源１０との間の距離を変化させ、光束の平行度を変えることにより、上記各ビームによる３次の球面収差を補正している。各レーザ光が対応する光ディスクの記録面位置に最良の状態で収束するような平行度で該レーザ光を射出するコリメートレンズ２０の位置を、第一の光ディスク４０Ａ（第二の光ディスク４０Ｂ）に対する最適位置という。
【００３１】
　ここで、実際には光ディスク用光学系１００に搭載される光源１０の個体差によって、各レーザ光の波長が常に設計波長と同一であるとは限らず、設計波長と実際の発振波長とのずれが発生することもある。この波長ずれによって各レーザ光の球面収差は若干変化してしまう。一般に、光源１０の個体差による各レーザ光の設計波長と実際の発振波長とのずれは、光ディスク用光学系１００の組み立て時に判明する。そこで、コリメートレンズ２０は波長ずれによって変化した球面収差が補正される位置（第一のレーザ光に対する最適位置、もしくは第一、第二のレーザ光に対する最適位置間の任意の位置）に配置、固定する。これにより、光源１０の個体差による波長変化に依存する球面収差を補正することが可能になる。従って光ディスク用光学系１００を組み立てた後は、コリメートレンズ２０の位置を変える必要はなく、調整等の手間はかからない。
【００３２】
　このように光ディスク用光学系１００では、球面収差の波長依存性を大きくした状態で回折構造３０ａを設計するとともにコリメートレンズ２０から射出されるレーザ光の平行度を変える。これにより、光源１０の個体差に起因する波長の変化による球面収差を補正している。
【００３３】
　なお、従来の対物レンズも球面収差の温度依存性を考慮して設計されてはいたが、その設計は前述のように、波長依存性とのバランスをとりつつ行われるものであった。そのため、回折構造３０ａにおいて、第一のレーザ光だけが有効に集光する周辺部は対物レンズ全体の球面収差の温度依存性に対して補正不足になりがちであった。
【００３４】
　本実施形態では、レーザ光源の個体差による波長のばらつきに起因する球面収差の変化、つまり球面収差の波長依存性は、コリメートレンズからの光束の平行度を調整することにより補正される。従って、対物レンズ３０は、上記従来の対物レンズの設計とは異なり、波長依存性とのバランスを考慮することなく温度依存性を小さくする設計が可能になる。
【００３５】
　次に、上述した実施形態に基づく具体的な実施例を２例提示する。いずれの実施例も保護層の厚さが０．６ｍｍの第１の光ディスク４０Ａと、保護層の厚さが１．２ｍｍの第２の光ディスク４０Ｂとの互換性を有する光ディスク用光学系１００である。
【実施例１】
【００３６】
　図１は、実施例１の光ディスク用光学系１００を表す概略図である。実施例１の光ディスク用光学系１００を構成する部材の具体的な数値構成は、表１および表２に示されている。表１中、設計波長とは、光ディスクに対して情報を記録または再生する際に最も適した波長のことである。ｆＯＢＬは、対物レンズ３０の焦点距離（単位：ｍｍ）、ｆＣＬは、コリメートレンズ２０の焦点距離、ＮＡは像側の開口数である。なお、第一および第二のレーザ光がともに設計波長であるときのコリメートレンズ２０、の最適位置は、光源１０から１１．１９ｍｍ離れた位置である。
【００３７】
【表１】
2004103216.tif 000003
【表２】
2004103216.tif 000004
【００３８】
　図２（Ａ）に設計波長の第一のレーザ光によって第一の光ディスク４０Ａに対する情報の記録または再生を行うときの球面収差を表し、図２（Ｂ）に設計波長の第二のレーザ光によって第二の光ディスク４０Ｂに対する情報の記録または再生を行うときの球面収差を表す。図２中、（Ａ）、（Ｂ）どちらの縦軸も入射高さｈであり、各々の光ディスクに対する有効光束径で規格化してある。また、図２（Ａ）、（Ｂ）どちらの横軸も球面収差の発生量を示し、単位はｍｍである。以下に説明する各収差図においても同様である。図２（Ａ）、（Ｂ）に示すように、設計波長のレーザ光を使用できれば、第一の光ディスク、第二の光ディスクどちらに対して情報を記録または再生した時も、きわめて良好に球面収差が抑えられるのがわかる。
【００３９】
　表２中、面番号０が光源１０の発光点、面番号１、２がコリメートレンズ２０、面番号３、４が対物レンズ３０、面番号５、６が媒体である光ディスクの保護層を示している。ｒはレンズ各面の曲率半径（単位：ｍｍ）、ｄはレンズ厚またはレンズ間隔（単位：ｍｍ）、ｎはｄ線（５８８ｎｍ）での屈折力、νはｄ線でのアッベ数である。
【００４０】
　また、コリメートレンズ２０の第二面（面番号２）、対物レンズ３０の第１面（面番号３）のベース面（回折レンズ構造を除く屈折レンズとしての形状）、および第２面（面番号４）は非球面である。その形状は光軸からの高さがｈとなる非球面上の座標点の非球面の光軸上での接平面からの距離（サグ量）をＸ（ｈ）、非球面の光軸上での曲率（１／ｒ）をＣ、円錐係数をＫ、４次、６次、８次、１０次、１２次の非球面係数をＡ４，Ａ６，Ａ８，Ａ１０，Ａ１２として、以下の式で表される。
【数１】
2004103216.tif 000005
各非球面を規定する円錐係数と非球面係数は、表３に示される。なお、表３に示すように対物レンズ３０の第１面（面番号３）は、レンズの中央部（ｈ＜１．２０）と周辺部（ｈ＞１．２０）とによって非球面の形状が異なっている。
【００４１】
【表３】
2004103216.tif 000006
【００４２】
　さらに、対物レンズ３０の第１面（面番号３）に形成された回折構造３０ａは、以下の光路差関数φ（ｈ）により表される。
【数２】
2004103216.tif 000007
光路差関数φ（ｈ）は、回折面上での光軸からの高さｈの点において、回折構造３０ａにより回折されなかった場合の仮想の光線と、回折レンズ構造により回折された光線との光路差を示す。Ｐ２、Ｐ４、Ｐ６、…はそれぞれ２次、４次、６次、…の係数である。回折構造３０ａを規定する光路差関数係数は、表４に示される。
【００４３】
【表４】
2004103216.tif 000008
【００４４】
　次に表５に、実施例１の第一のレーザ光が対物レンズ３０に入射したときの球面収差の波長依存性を示す。また表６に、第一のレーザ光の波長変動を０．２ｎｍ／℃に設定したときにおいて、第一のレーザ光が対物レンズ３０に入射したときの球面収差の温度依存性を示す。表５、表６において、ＳＡ３、ＳＡ５、ＳＡ７、ＳＡ９は、それぞれ、３次、５次、７次、９次の球面収差を示す。５次以上の球面収差が高次の収差成分である。
【００４５】
【表５】
2004103216.tif 000009
【表６】
2004103216.tif 000010
【００４６】
　上記のような構成の光ディスク用光学系１００において、光源１０の個体差等によって、第一のレーザ光の波長が６６５ｎｍ（ずれ量Δλ＝＋１０ｎｍ）、第二のレーザ光の波長が７９０ｎｍ（ずれ量Δλ＝＋７ｎｍ）だった場合を想定する。このとき第一のレーザ光に対する最適位置は光源１０から１１．４９ｍｍ離れた位置、第二のレーザ光に対する最適位置は光源１０から１１．４４ｍｍ離れた位置となる。表７に、コリメートレンズ２０と光源１０間の距離が１１．４９ｍｍと１１．１９ｍｍである場合に、波長６６５ｎｍの第一のレーザ光によって発生する球面収差の値を表す。また、表８に、コリメートレンズ２０と光源１０間の距離が１１．４９ｍｍと１１．４４ｍｍと１１．１９ｍｍである場合に、波長７９０ｎｍの第二のレーザ光によって発生する球面収差の値を表す。
【００４７】
【表７】
2004103216.tif 000011
【表８】
2004103216.tif 000012
【００４８】
　上記のように設計波長から所定量波長がずれた場合であっても、設計波長のレーザ光に対する最適位置にコリメートレンズ２０を配置したままの場合、表７、表８に示すように第一のレーザ光、第二のレーザ光ともに球面収差が大きく発生してしまう。そこで、コリメートレンズ２０と光源１０間の距離を調整して球面収差を低減させる。ここで、表８に示すように、第二のレーザ光に対する最適位置にコリメートレンズ２０を配置した場合と、第一のレーザ光に対する最適位置にコリメートレンズ２０を配置した場合とでは、第二のレーザ光によって発生する球面収差はほとんど変化がない。従って実施例１では、コリメートレンズ２０を光源から１１．４９ｍｍ離れた位置、つまり第一のレーザ光に対する最適位置に配置する。
【００４９】
　仮に、第一のレーザ光に対する最適位置にコリメートレンズ２０を配置すると極端に第二のレーザ光による球面収差が急増するような場合には、各レーザ光に対する最適位置の間、つまり１１．４４ｍｍ〜１１．４９ｍｍ間で最も収差が抑えられるような所定位置にコリメートレンズ２０を配置すればよい。
【００５０】
　図３は、６６５ｎｍの第一のレーザ光によって第一のディスク４０Ａに対して情報を記録または再生するときに発生する球面収差について表した収差図である。図３（Ａ）がコリメートレンズ２０の位置調整をする前の球面収差図であり、図３（Ｂ）がコリメートレンズ２０を最適位置に配置した状態での球面収差図である。図３（Ａ）、（Ｂ）に示すように、対物レンズ３０に波長依存性を大きく持たせているため球面収差がかなり発生しているが、コリメートレンズ２０を最適位置に配置することによって球面収差は低減されているのがわかる。これにより、良好な小径のスポットが第一のディスクの記録面に形成される。
【実施例２】
【００５１】
　次いで、光ディスク用光学系１００の第二の実施例について説明する。図４は、実施例２の光ディスク用光学系１００を表す概略図である。図４中、実施例１の光ディスク用光学系１００と同一部材には同一の符号を付してある。実施例２の光ディスク用光学系１００を構成する部材の具体的な数値構成は、表９および表１０に示されている。なお、第一および第二のレーザ光がともに設計波長であるときのコリメートレンズ２０の最適位置は、光源１０から１４．６６ｍｍ離れた位置である。
【００５２】
【表９】
2004103216.tif 000013
【表１０】
2004103216.tif 000014
【００５３】
　図５（Ａ）に設計波長の第一のレーザ光によって第一の光ディスク４０Ａに対する情報の記録または再生を行うときの球面収差を表し、図５（Ｂ）に設計波長の第二のレーザ光によって第二の光ディスク４０Ｂに対する情報の記録または再生を行うときの球面収差を表す。図５（Ａ）、（Ｂ）に示すように、設計波長のレーザ光を使用できれば、第一の光ディスク、第二の光ディスクどちらに対して情報を記録または再生した時も、きわめて良好に球面収差が抑えられるのがわかる。
【００５４】
　表１０中、面番号０が光源１０の発光点、面番号１、２がコリメートレンズ２０、面番号３、４が対物レンズ３０、面番号５、６が媒体である光ディスクの保護層を示している。
【００５５】
　実施例２でも、コリメートレンズ２０の第２面（面番号２）、対物レンズ３０の第１面（面番号３）のベース面、および第２面（面番号４）が非球面として形成されている。各非球面を規定する円錐係数と非球面係数は、表１１に示される。なお、表１１に示すように対物レンズ３０の第１面（面番号３）は、レンズの中央部（ｈ＜１．３８）と周辺部（ｈ＞１．３８）とによって非球面の形状が異なっている。また、回折構造３０ａを規定する光路差関数係数は、表１２に示される。
【００５６】
【表１１】
2004103216.tif 000015
【表１２】
2004103216.tif 000016
【００５７】
　次に表１３に、実施例２の第一のレーザ光が対物レンズ３０に入射したときの球面収差の波長依存性を示す。また表１４に、第一のレーザ光の波長変動を０．２ｎｍ／℃に設定したときにおいて、該レーザ光が対物レンズ３０に入射したときの球面収差の温度依存性を示す。
【００５８】
【表１３】
2004103216.tif 000017
【表１４】
2004103216.tif 000018
【００５９】
　上記のような構成の光ディスク用光学系１００において、光源１０の個体差等によって、第一のレーザ光の波長が６４５ｎｍ（ずれ量Δλ＝−１０ｎｍ）、第二のレーザ光の波長が７８３ｎｍ（ずれ量Δλ＝±０ｎｍ）だった場合を想定する。このとき第一のレーザ光に対する最適位置は光源１０から１４．１５ｍｍ離れた位置、第二のレーザ光に対する最適位置は光源１０から１４．６６ｍｍ離れた位置となる。コリメートレンズ２０と光源１０間の距離が１４．１５ｍｍと１４．６６ｍｍである場合に、波長６６５ｎｍの第一のレーザ光によって発生する球面収差の値を表１５に、波長７９０ｎｍの第二のレーザ光によって発生する球面収差の値を表１６に、それぞれ表す。
【００６０】
【表１５】
2004103216.tif 000019
【表１６】
2004103216.tif 000020
【００６１】
　上記のように設計波長から所定量波長がずれたときに、設計波長のレーザ光に対する最適位置にコリメートレンズ２０を配置したままの場合、表１５に示すように第一のレーザ光による球面収差が０．０３５λｒｍｓと大きく発生してしまう。そこで、コリメートレンズ２０と光源１０間の距離を調整して該球面収差を低減させる。具体的には実施例２では、コリメートレンズ２０を第一のレーザ光に対する最適位置に配置する。これにより、第一のレーザ光による球面収差を０．００６λｒｍｓにまで低減することができる。
【００６２】
　コリメートレンズ２０を第一のレーザ光に対する最適位置に配置することは、設計波長どおりの第二のレーザ光に対する最適位置からは、ずれることになる。従って、第二のレーザ光による球面収差が０．０１６λｒｍｓ発生してしまう。この第二のレーザ光による球面収差が、光情報記録再生装置全体の性能に影響を及ぼす恐れがある場合には、各レーザ光に対する最適位置の間、つまり１４.１５ｍｍ〜１４.６６ｍｍ間で最も優れた特性が得られるような所定位置にコリメートレンズ２０を配置すればよい。
【００６３】
　図６は、６４５ｎｍの第一のレーザ光によって第一のディスク４０Ａに対する情報の記録または再生するときに発生する球面収差について表した収差図である。図６（Ａ）がコリメートレンズ２０の位置調整をする前の球面収差図であり、図６（Ｂ）がコリメートレンズ２０を最適位置に配置した状態での球面収差図である。図６（Ａ）、（Ｂ）に示すように、対物レンズ３０に波長依存性を大きく持たせているため球面収差がかなり発生しているが、コリメートレンズ２０を最適位置に配置することによって球面収差は低減されているのがわかる。これにより、良好な小径のスポットが第一のディスクの記録面に形成される。
【００６４】
　以上が本発明の実施形態である。なお、上記実施形態の光ディスク用光学系１００は、二種類の波長の光を発光可能な二つの発光点を有する光源１０を使用した。そのため、コリメートレンズ２０と光源１０間の距離は、第一のレーザ光による球面収差を低減することを主として決定している。光源近傍の構成としては、各々異なる波長の光を発光する光源を二つ設け、ハーフミラーやプリズム等を用いていずれかの光源から照射されたレーザ光を光ディスクの記録面に導く構成を採ることも可能である。この場合には、各光源とコリメートレンズ２０との間の距離が各々最適な距離となるように各光源を配置すればよい。
【００６５】
　また、上記実施形態では、コリメートレンズ２０の配置位置を調整することによりレーザ光の平行度を変えて球面収差を低減すると説明した。ここで、一般にコリメートレンズのＮＡが小さいため、コリメートレンズ２０の中心厚さを変えたり、該レンズのいずれか一方の面の曲率半径を変えたりしても、コリメートレンズ２０自体の収差が、装置全体の性能に影響を与えるほど大きく変動することはない。そこで、コリメートレンズ２０の配置位置を調整するかわりに、コリメートレンズ２０の中心厚さを変えたり、該レンズのいずれか一方の面の曲率半径を変えたりすることによって、レーザ光の平行度を変えることも可能である。
【図面の簡単な説明】
【００６６】
【図１】本発明の実施例１の光ディスク用光学系の概略構成図である。
【図２】実施例１の設計波長のレーザ光を使用した場合の球面収差図である。
【図３】実施例１の第一のレーザ光の波長が変動したときの対物レンズの球面収差図である。
【図４】本発明の実施例２の光ディスク用光学系の概略構成図である。
【図５】実施例２の設計波長のレーザ光を使用した場合の球面収差図である。
【図６】実施例２の第一のレーザ光の波長が変動したときの対物レンズの球面収差図である。
【符号の説明】
【００６７】
１０　光源
２０　コリメートレンズ
３０　対物レンズ
３０ａ　回折構造
【図１】
2004103216.tif 000021
【図２】
2004103216.tif 000022
【図３】
2004103216.tif 000023
【図４】
2004103216.tif 000024
【図５】
2004103216.tif 000025
【図６】
2004103216.tif 000026